Podtech/llm-jp-corpus-v4-ja_patent huggingface dataset:
(57)【要約】【課題】塩や砂糖を正確かつ一定に添加することが面倒である。【解決手段】所定重さまたは所定容量の砂糖又は塩からなる粉粒状調味料を固めて小片板体に成形し、その表面に重さに対応した数字を一体に表示し、またはその重さに対応した数字の形に成形し、あるいはその表面に小さじ又は大さじの容量に対応した小さじ又は大さじ及びその杯数を表す文字を表示することにより、簡単な操作で塩や砂糖を正確にしかも一定化して添加することが可能となる。【選択図】図１
2006246872.tif 000002
【特許請求の範囲】
【請求項１】
所定重さの砂糖又は塩からなる粉粒状調味料を固めて小片板体に成形し、その表面に重さに対応した数字を一体に表示した固形調味料。
【請求項２】
所定重さの砂糖又は塩からなる粉粒状調味料を固めてその重さに対応した数字の形に成形した固形調味料。
【請求項３】
小さじ又は大さじの容量に対応した所定容量の砂糖又は塩からなる粉粒状調味料を固めて小片板体に成形し、その表面に小さじ又は大さじ及びその杯数を表す文字を表示した固形調味料。
【請求項４】
裏面の所用位置に割り溝を形成した請求項１、請求項２又は請求項３記載の固形調味料。
【発明の詳細な説明】
【技術分野】
【０００１】  本発明は、砂糖、塩からなる粉粒状の調味料を固めて所定形状に成形した固形調味料に関するものである。
【背景技術】
【０００２】  一般に、料理や飲料の味付けに使う砂糖や塩などの粉粒状調味料は、目分量で添加するか、あるいは計量スプーンなどを使って添加している。
【発明の開示】
【発明が解決しようとする課題】
【０００３】  味付け内容によっては塩や砂糖の添加量が極めて不正確な目分量でも良いケースもあるが、病人食などのように塩や砂糖の添加量を正確にしかも一定化する必要がある場合には、いちいち秤で計量するが、そのための作業が面倒であると共に、添加量が多いと添加している内にどのくらい添加したかが分からなくなることがある。【０００４】  一方、計量スプーンにおいても摺り切りと山盛りでは量が違うので、その使い分けによっては不正確になり、しかもスプーンでは重さ単位での添加量の調整はできない。
【課題を解決するための手段】
【０００５】  本発明は、塩や砂糖の添加量を正確かつ一定化することを可能とするため、所定重さまたは所定容量の砂糖又は塩からなる粉粒状調味料を固めて小片板体に成形し、その表面に重さに対応した数字を一体に表示し、またはその重さに対応した数字の形に成形し、あるいはその表面に小さじ又は大さじの容量に対応した小さじ又は大さじ及びその杯数を表す文字を表示したことを最も主要な特徴とする。
【発明の効果】
【０００６】  極めて簡単な添加操作で、砂糖や塩の添加量を常に正確かつ一定化することができる。
【発明を実施するための最良の形態】
【０００７】  極めて簡単な添加操作で、砂糖や塩の添加量を常に正確かつ一定化するという目的を、所定重さまたは所定容量の砂糖又は塩からなる粉粒状調味料を固めて小片板体に成形し、その表面に重さに対応した数字を一体に表示し、またはその重さに対応した数字の形に成形し、あるいはその表面に小さじ又は大さじの容量に対応した小さじ又は大さじ及びその杯数を表す文字を表示することにより実現した。
【実施例１】
【０００８】  図１に示す第１実施例は、所定重さの砂糖又は塩からなる粉粒状調味料を角砂糖状に固めて四角形や円形等の小片板体１に成形し、その表面に例えば、１〜５グラムの重さに対応した主として１〜５までの数字２を一体に表示したものである。【０００９】  数字の表示方法としては、数字２の部分を凹ませるか、盛り上げる。【００１０】  また、小片板体１は、角砂糖状に固めただけでは角などが欠けやすいため、表面全体に砂糖や塩を溶かした溶液を噴霧や塗布などでコーティングして表面をより固くして、全体の強度を強化することが望ましい。
【実施例２】
【００１１】  図２に示す第２実施例は、第１実施例に示す小片板体１の裏面にその板体を複数の細片に均等に割って切り離し可能な、断面Ｖ字型またはＵ字型等の割溝３を形成したものである。【００１２】  例えば、５グラムの小片板体１を５分割すれば、割った一つの切離細片は１グラムとして使うことができ、その複数の割溝３を適宜選択して２グラムや３グラム等の切り離し細片を得ることができる。
【実施例３】
【００１３】  図３に示す第３実施例は、所定重さ又は所定容量の砂糖又は塩からなる粉粒状調味料を固めて小片板体に成形し、その重さ又は容量に対応した数字の形に成形したものである。
【実施例４】
【００１４】  図４に示す第４実施例は、小さじまたは大さじの容量に対応した所定容量の砂糖又は塩からなる粉粒状調味料を固めて円形または楕円形、あるいは略スプーン型の小片板体１に成形し、その表面に小さじまたは大さじ及びその杯数を表す文字４を表示したものである。【００１５】  小さじ又は大さじ及びその杯数を表す文字４としては、表示スペースや文字の大きさの限界から、できるだけ簡易に表示するために、小１、大１のように表示することが望ましい。【００１６】  なお、杯数が大きくなるにつれて容量が大きくなるため、この容量に応じて小片板体１の厚さを厚くする。【００１７】  また、この小片板体１には実施例２の場合と同様に、複数の細片に均等に割って切り離し可能な割溝を設けても良い。
【産業上の利用可能性】
【００１８】  病院食やコーヒー、紅茶などの飲料に塩や砂糖を正確に添加する必要がある用途に最適である。
【図面の簡単な説明】
【００１９】
【図１】この発明の第１実施例を示す斜視図である。（実施例１）
【図２】この発明の第２実施例を示す斜視図である。（実施例２）
【図３】この発明の第３実施例を示す斜視図である。（実施例３）
【図４】この発明の第４実施例を示す斜視図である。（実施例４）
【符号の説明】
【００２０】  １    小片板体
２    数字
３    割溝
４    文字
【図１】
2006246872.tif 000003
【図２】
2006246872.tif 000004
【図３】
2006246872.tif 000005
【図４】
2006246872.tif 000006
(57)【要約】【課題】ニコチンを含まない喫煙嗜好品を提供する。【解決手段】ニコチンを含まずやに臭さの少ない、桜、もち科の葉を主な素材とした喫煙嗜好品である事を特徴とする。【特許請求の範囲】
【請求項１】
（１）たまみづき、いぬつげ、くろがねもち等もち科の植物の葉を喫煙素材とした喫煙嗜好品
【請求項２】
（１）桜を喫煙素材とした喫煙嗜好品
【請求項３】
（１）請求項、請求項２の喫煙嗜好品に香りをもつ草木、又は薬効成分を持つ草木をブレンドした喫煙嗜好品
【発明の詳細な説明】
【技術分野】
【０００１】この発明はニコチン等毒性をもたない喫煙嗜好品に関する。
【背景技術】
【０００２】喫煙品としてたばこ、又はたばこをブレンドしたものが知られている。
【発明が解決しようとする課題】
【０００３】これには次のような欠点がある。たばこの毒性については公示されており、また、たばこに他の素材をブレンドしたものもニコチンを除去したものではなく，同様の事が言える。本発明はこの欠点を取り除く為になされたものである。
【課題を解決するための手段】
【０００４】もち科の植物の葉、桜の葉を細かく刻み、香りをもつ草木又は薬草等をブレンドしてフィルターをつけて喫煙する。
【発明の効果】
【０００５】桜の葉、もち科の植物はニコチンを含まず、匂い、辛味、苦味とも少なく、まろやかな味わい香りを楽しみながらリラックスした状況を醸し出し、ニコチンによる喫煙習慣を絶つ環境をつくる。
【発明を実施するための最良の形態】
【実施例】
【０００６】１）もち科の直物の葉を乾燥して細かく刻み紙で巻き、フィルターを取りつけて喫煙するものであるが、煙は軽く特に味、匂いはない。
２）桜の樹皮、葉花を水に漬け醗酵させ、これを細かく刻み乾燥させて紙で巻き、フィルターを取り付け喫煙すると非常に良い香りと、まろやかでさわやかな味を醸し出す。
３）香りをもつ草木、薬効成分をもつ草木を請求項１、請求項２の喫煙素材にブレンドして喫煙する。やに臭さがない為、いやな匂いにならない。
【産業上の利用可能性】
【０００７】桜、もちの葉はニコチンを含まず、やに臭さの少ないものであり、喫煙習慣を絶つ為に利用し得るものである。
(57)【要約】      （修正有）【課題】刈払い機械において、雑草等及び小径雑木、小径雑竹等の刈払いと同時に、切断部分や根元部分をいためつけ、また、ささくれ状態にすることで植物の生育等を抑止し、及び、土壌の中耕や攪拌等ができる刃（チップソ−）を提供する。【解決手段】円盤状の側面外周部に特殊鋼質刃（チップ）を等間隔に複数カ所ロウ付けし、下面部分に特殊鋼質刃（チップ）を等間隔に複数カ所、複数周列にロウ付けする。【選択図】図２
2006246871.tif 000002
【特許請求の範囲】
【請求項１】
図面第１図Ａ盤の円盤状の▲１▼側面外周部に、▲５▼特殊鋼質刃（チップ）を等間隔に副数カ所ロウ付けをし、▲２▼下面部分に▲５▼特殊鋼質刃（チップ）を等間隔に副数カ所、副数周列にロウ付けで形成したことを特徴とした、刈払い用刃（チップソ−）
【発明の詳細な説明】
【発明の詳細な説明】
【０００１】［発明の属する技術の分野］（産業上の利用分野）本発明は、刈払い用に使用する円盤状の刃（チップソ−）であり、農業、林業及び土木業等多種の職業で使用可能な、刈払い用刃（チップソ−）である。
【０００２】［従来の技術］これまでの草刈作業等に使用された種類等はひも状なもの、星型に加工したもの、回転によりツメ等が突出するもの、十字形等その他多種あります。
【０００３】［発明が解決するための課題］
【０００４】刈払い機を用いて、雑草、及び小径雑木、小径雑竹等を刈払い作業を行う場合にあっては、刃（チップ）が特殊鋼質で鋭利な状態になっているために、効率良く刈払い作業行う事が出来、また、作業者も楽に作業を行う事ができます。
【０００５】刃（チップ）の鋭利さが失はれた場合には、研磨機等で刃（チップ）を研いたり、又は刃（チップ）が数カ所紛失したときは、新しいものに取りかえる事が望ましいです。
【０００６】本発明は、▲１▼第１図Ａ盤の側面外周部、及び▲２▼下面部分に特殊鋼質刃（チップ）を副数カ所、副数周列ロウ付けで形成したことで、雑草、及び小径雑木、小径雑竹等の切断部分や根元部分をいためつけ、また、ささくれ状態にするために切断部分の修復等を遅らせると同時に、刈払い後の植物の生育を抑止することである。
【０００７】［課題が解決するための手段］本発明は、第１図Ａ盤▲１▼の側面外周部に特殊鋼質刃（チップ）を等間隔に副数カ所ロウ付けをし、また、▲２▼下面部分に▲５▼特殊鋼質刃（チップ）を等間隔に副数カ所副数周列にロウ付けで形成したことを特徴したことで、地面との接触面がなめらかになり、刈払い作業等が効率よく、切断部分や根元付近をいためつけ、また、ささくれ状態にして植物等の生育を抑止するものである。
【０００８】［発明の実施の形態］（実施例）
【０００９】図面にもとずいて本発明の一実施例を説明すると、刈払い機用刃（チップソ−に示すとおり、中心部取付用孔▲３▼を有する円盤状の刃（チップソ−）であり、外周部に▲５▼特殊鋼質刃（チップ）を等間隔に副数カ所ロウ付けで形成し、また、▲２▼下面部分に▲５▼特殊鋼質刃（チップ）を等間隔に副数カ所副数周列にロウ付けで形成したことにより、従来の刈払い用刃（チップソ−）とは異なるものである。
【００１０】▲２▼下面部分に特殊鋼質刃（チップ）をロウ付けで形成し、等間隔に副数カ所、副数周列にロウ付けで形成した事によつて、小径雑木、小径雑竹及び雑草等の切断部分や根元部分をいためつけ、また、ささくれ状態にするために切断部分の修復等を遅らせると同じに、刈払い後の植物の生育等を抑止することである。
【００１１】▲１▼側面外周部刃（チップ）及び▲２▼下面部分の▲５▼特殊鋼質刃（チップ）を等間隔に副数カ所、副数周列にロウ付けで形成したことにより、さらに使用する刈払い刃（チップソ−）の角度によつて、土壌等の中耕や攪拌することが可能である。
【００１２】［発明の効果］  この発明にかかる刈払い用刃（チップソ−）は雑草等及び小径雑木、小径雑竹等の切断部分や根元部分をいため、また、ささくれ状態にし植物の生育を抑止することができる。
【００１３】農業者には、田、畑等の雑草等その他刈払い、または、土壌の中耕や攪拌に適応すること。
【００１４】林業者には、山林の下払い、幼樹等の下枝払い等、よたは、竹林等の早期手入れにより不可価値が上がることであります。
【００１５】土木業者においては、道路の路肩部分等の雑草等、小径雑木、小径雑竹等の刈払いに適応すること。
【図面の簡単な説明】
【００１６】
【図１】概略第１図Ａ盤
【図２】概略側面の説明図
【図３】概略特殊鋼質（チップ）の種類
【図４】概略側面Ｂ盤
【図５】概略側面Ｃ盤
【図１】
2006246871.tif 000003
【図２】
2006246871.tif 000004
【図３】
2006246871.tif 000005
【図４】
2006246871.tif 000006
【図５】
2006246871.tif 000007
(57)【要約】【課題】樹脂製板に花、野菜の形状で土中に差し込む先端部が尖ったラベルで、花、野菜が片面又は両面に描かれ、あるいはカラー印刷され、型で打抜きされた、鉛筆、ペン、マジックペン等で文字を記入しない野菜ラベルを提供する。【解決手段】薄い樹脂製の板を設け、その板に花、野菜を描き、又はカラー印刷する。印刷された樹脂製板を花、野菜の形状に打抜き型をもって打ち抜き製作し、一目で花、野菜が判別でき、複数年使用出来る野菜ラベル。【選択図】  図１
2006246869.tif 000002
【特許請求の範囲】
【請求項１】
薄い樹脂製板、又は樹脂コーテイングされた紙等に花・野菜の形状でカラーの写真又は絵が片面又は両面に描かれ、印刷されている形状の花、野菜ラベル。
【請求項２】
花、野菜の形状に打抜き型で製作された請求項１記載の野菜ラベル。
【請求項３】
花、野菜ラベルの先端部は土中に容易に差込み出来るよう尖った形状の請求項１〜２記載の野菜ラベル。
【請求項４】
一目見て、花、野菜が判別でき、複数年使用可能な請求項１〜３記載の野菜ラベル。
【発明の詳細な説明】
【技術分野】
【０００１】  本発明は、畑、庭、植木鉢等に種を蒔いた植木、花、野菜等の植物を栽培する時に用いられるラベルでその植物の形状をした絵が描かれた野菜ラベルに関するものである。
【背景技術】
【０００２】  従来の園芸用ラベルは、紙に植物の名前を書いたり、その植物の絵を書いて、二つ折にした樹脂板又はラベル入れ等に挟んだり、又差し込んで利用して土中に差込固定したが、紙に書く手間が結構面倒であった。これらの園芸用ラベルは（特開２００２−３２３８５３号公報）がある。
【発明の開示】
【発明が解決しようとする課題】
【０００３】  それには次のような問題点があった。
（イ）ラベルの紙又はラベル直接に名前、絵等を畑、庭で書くのはなかなか面倒であり、書かないことが多い。
（ロ）数種の草花の種を蒔くとラベルが無いと区別がつきずらく困ることがある。
（ハ）毎年使用出来るようなものは無い。
（ニ）名前が無くてもラベルの形状から一目でどんな野菜か花か判断できるようなラベルは無い。
本発明は、以上の問題点を解決するためのものである。
【課題を解決するための手段】
【０００４】  この発明は、花、野菜等の植物の種を蒔いたときに土中に差込固定される園芸用ラベル（１）であって、プラステック製の薄い板又は厚めのフイルム，樹脂コーテイングされた紙（２）等が、野菜、花（３）がカラーで両面に印刷され、型でその形状に抜かれ、土中に差し込む部分は先端が尖った形状を突起部（４）にし、土中に容易に差し込むことが出来ることを特徴とする。
【発明の効果】
【０００５】  この発明は、種の入った袋の中の種が、花、野菜等の植物の形をした、両面にカラー印刷され、土中に差し込む園芸用ラベルで、植物の種を蒔いた場所がわかり、名前、絵等を書かなくても良く、毎年繰り返し使用でき、瞬時に判断できる効果が期待できる。
【発明を実施するための最良の形態】
【０００６】  以下、本発明の実施の最良の形態を説明する。
（イ）薄い樹脂製の板、又は樹脂でコーテイイングされた紙を設ける。
（ロ）樹脂製の板（２），又は樹脂コーティングされた紙の両面に、花，野菜（３）等の絵を両面に同じ方向にカラー印刷する。
（ハ）カラー印刷された樹脂板又は樹脂コーテイングされた紙を型でぬく。
（ニ）先端部の突起部（４）を土中に差し込む。
本発明は、以上の構成よりなっている。
これを使用する時は、畑、庭等に草花の種を蒔き、その箇所に園芸用ラベルを土中に差し込むだけである。これにより、蒔いた場所にはどんな種を蒔いたか瞬時にわかり、また、使用後は抜き再度種を蒔く時まで保管する。
【図面の簡単な説明】
【０００７】
【図１】本発明の正面図である。
【図２】本発明の他の例の正面図である。
【符号の説明】
【０００８】    １  園芸用ラベル
２  樹脂製の板
３  花・野菜の絵
４  突起部
【図１】
2006246869.tif 000003
【図２】
2006246869.tif 000004
(57)【要約】      （修正有）【課題】ペットの糞を清潔かつ容易に収納することが可能な糞取り器を提供する。【解決手段】ペット糞取り器の本体枠へ糞を捕捉するための紐付ビニール袋４を伸縮クリップ３にて固定するように備えた。５は、本体枠、６は、取手、７は、切り込み部分である。【選択図】図１
2006246862.tif 000002
【特許請求の範囲】
【請求項１】
ペットの糞を取るための手段として、金属製の器具を用いてビニール製の袋の中へ糞を捕捉するための糞取り器。
【発明の詳細な説明】
【技術分野】
【０００１】本発明はペットの糞を取るための、糞取り器に関するものである。〔背景技術〕【０００２】既存のペット糞取り器はスコップ型の形状ですくい取る物や、挟むような形状でつかみ取ってからその後、袋の中へ移し変える作業が発生していた。【０００３】従来技術のペット糞取り器にはビニール等の袋を備えたものがある。（例、特許文献１、２参照）【０００４】〔特許文献１〕特開２００３−１５８９３７号公報〔発明の開示〕〔発明が解決しようとする課題〕【０００５】従来技術のペット糞取り器では、大きさと重量などにおいて持ち運べる携帯性において不適であり、また糞をビニール袋などに捕捉した後に一旦その器具から取り外さなければならないという問題点がある。【０００６】本発明は、このような従来技術の問題を解決しようとするものであり軽量とコンパクト性を重視し簡単にビニール袋へ糞を収納することを目的とするものである。〔課題を解決するための手段〕【０００７】本発明はペットの糞を取るための手段として、金属製の器具を用いて糞取り器本体枠に固定された紐付ビニール製の袋へ糞を捕捉することによって上記課題を解決したものである。また更に本体枠に固定されてしまっているビニール袋を収納する作業において伸縮するクリップとビニール袋上部に紐を設ける構造としたものである。〔発明の効果〕【０００８】本発明によれば、金属製の器具と紐付ビニール袋を使用してペットの糞を清潔かつ容易に収納する作業を行うことが可能である。尚且つ、伸縮するクリップと紐を設けることによって収納作業を確実に高めることが出来る。〔実施例〕【０００９】本発明の糞取りキャッチャーは図１に示されるように本体枠５へ取手６をリベット留めして、紐付ビニール袋４を伸縮クリップ３にて固定されている。【００１０】伸縮クリップ３は生線を焼きいれして摘み部分を設けた。【００１１】紐付ビニール袋４は上部より５ｃｍ下の箇所へ穴を開けて紐を通している。【００１２】本体枠５はアルミニウム製の板の縁を内側へ折り曲げて強度を増した。尚且つ、伸縮するクリップを固定するために７へ切り込み部分を設けた。【００１３】取手６は鋼線を使用して、根元部分には３回転より曲げ加工し後端部分は楕円形状とした。
【図面の簡単な説明】
【００１４】
【図１】本発明における糞取りキャッチャーの構成を示す外観図である。
【図２】ペット糞取り器の平面図である。
【符号の説明】
【００１５】３…伸縮クリップ４…紐付ビニール袋５…本体枠６…取手７…切り込み部分
【図１】
2006246862.tif 000003
【図２】
2006246862.tif 000004
(57)【要約】【課題】  動物が、顔や耳をひっかかないように、やわらかい布の中に綿を入れた、ドーナツ状の首輪を提供する。【解決手段】  やわらかい布（１）を糸（２）で縫い合わせて筒状にし、その布（１）の中に綿（３）を入れて糸（４）で縫い合わせてドーナツ状にし、その内側にゴムひも（５）を通して糸（６）で縫い、コードストッパー（登録商標）（７）を設けたことを特徴とする。【選択図】  図１
2006246870.tif 000002
【特許請求の範囲】
【請求項１】
やわらかい布（１）を糸（２）で縫い合わせて筒状にし、その布（１）の中に綿（３）を入れて糸（４）で縫い合わせてドーナツ状にし、その内側にゴムひも（５）を通して糸（６）で縫い、コードストッパー（登録商標）（７）を設けた動物用の首輪。
【発明の詳細な説明】
【技術分野】
【０００１】  この発明は、動物が顔や首などをひっかくことを防止するために、やわらかい布の中に綿を入れて首輪にした、ひっかき防止首輪に関するものである。
【背景技術】
【０００２】  従来、ひっかきを防止するには、エリザベスカラーが使用されている。
【発明が解決しようとする課題】
【０００３】  これは次のような欠点があった。
従来、エリザベスカラーは顔全体を覆ってしまうため食事を取るのも不自由で、重さが首に負担をかけ、動物はストレスを感じてしまうことが多い。
本発明は、以上のような欠点をなくすためになされたものである。
【課題を解決するための課題】
【０００４】  やわらかい布（１）を糸（２）で縫い合わせて筒状にし、その布（１）の中に綿（３）を入れて糸（４）で縫い合わせてドーナツ状にし、その内側にゴムひも（５）を通して糸（６）で縫い、コードストッパー（登録商標）（７）を設ける。
本発明は、以上の構成よりなる、ひっかき防止首輪である。
【発明の効果】
【０００５】  やわらかい布の中に綿を入れているので軽く、首に負担がかからない。
ドーナツ状の首輪なので、食事をとるときに支障をきたさない。
【発明を実施するための最良の形態】
【０００６】  以下、本発明を実施するための最良の形態について説明する。
扇状のやわらかい布（１）の両端を糸（２）で縫い合わせて筒状にする。その筒状の布（１）の中に綿（３）を入れて包み込み、糸（４）で縫い合わせてドーナツ状にする。その内側にゴムひも（５）を通し、ゴムひもがずれないように糸（６）で縫い、コードストッパー（登録商標）（７）を設けて、ゴムひもの長さが調整できるようにする。
やわらかい布（１）は、春夏は綿生地など、秋冬はフリース生地などを用いる。
大きさは、猫用・小型犬用・大型犬用・その他のように分かれる。
本発明は、以上のような構造で、アレルギーなどの痒みからくる動物の顔や耳のひっかき防止に使用する。動物は前足ではなく、後ろ足でしか体を掻かないため、ドーナツ状の首輪を付けることによって、ひっかきを防止することができる。
【図面の簡単な説明】
【０００７】
【図１】  本発明の平面図である。
【図２】  本発明の分解平面図である。
【符号の説明】
【０００８】１  布
２  糸
３  綿
４  糸
５  ゴムひも
６  糸
７  コードストッパー
【図１】
2006246870.tif 000003
【図２】
2006246870.tif 000004
(57)【要約】【課題】容器に冷凍充填されたアイスクリームを、事前に予備粉砕または調温により可塑状にすることなしにソフトクリーム状に抽出することを課題とした。【解決手段】一対の圧力板の一方を固定、もう一方を可動状態に設定し、この圧力板の間に挿入されたチューブ式容器にトグル機構を応用して圧力を加え（図２）、きわめて短時間に抽出を可能（図４）とさせた。【選択図】図１
2006246864.tif 000002
【特許請求の範囲】
【請求項１】
チューブ式容器に充填され、冷凍固体状になったアイスクリームを、きわめて短時間加圧し可塑状とし、さらに加圧しソフトクリーム状として抽出させるように構成されたアイスクリーム解凍抽出装置。
【請求項２】
密閉された抽出口を設け、加圧により抽出口が開口し内容物が抽出されるよう設定されたチューブ式容器を使用することを特徴とした、特許請求項１記載のアイスクリーム解凍抽出装置。
【請求項３】
冷凍固体状となったチューブ式容器内のアイスクリームに対し、一対の圧力板を押し当て加圧することにより冷凍固体が可塑化されることを特徴とした（図２）、特許請求項１記載のアイスクリーム解凍抽出装置。
【請求項４】
可塑状態化したチューブ容器内のアイスクリームに対し、一対の圧力板のうち一方を固定、他方を可動加圧させることにより（図３）、チューブ式容器内のアイスクリームを上部から下部へ移動させ、チューブ式容器の抽出口から排出させることを特徴とした、特許請求項１記載のアイスクリーム解凍抽出装置。
【請求項５】
特許登録請求項４記載の構造を利用し一対の圧力板の一方を可動加圧動作させるために、トグル機構を応用した装置を小型モーター動力により伸延させることを特徴とした（図１）、特許請求項１記載のアイスクリーム解凍抽出装置。
【請求項６】
出力の小さいモーターから大きなトルクを生じさせるトグル機構によりチューブ式容器内のアイスクリームの排出残を減少し（図４）、抽出効率化を高めることを特徴とした、特許請求項１記載の食品解凍抽出装置。
【発明の詳細な説明】
【技術分野】
【０００１】冷凍されたアイスクリームを加圧することにより可塑化するために圧板式を採用、これをトグル機構の応用によりモータートルクの効率化を図った。
さらに、固定圧力板と可動圧力板の併用により、駆動モーターが生じる圧力を上方から下方へ移動させることを可能にしたことで簡単にソフトクリームを作ることができる。
【背景技術】
【０００２】プレス式、ローラー式の加圧は、可塑化を生じるまでにかなりの時間を要することがネックとなっていたが、トグル機構を応用することにより、同様の状態を得るための時間が極めて短縮された。
【発明の開示】
【発明が解決しようとする課題】
【０００３】プレス式、ローラー式による加圧・抽出は、容器に充填され冷凍固体状のアイスクリームを可塑状にするために、事前に予備粉砕または調温を要したが、本請求項記載の発明はこの事前作業を省略することを課題とした。
【課題を解決するための手段】
【０００４】トグル機構の応用による構造の発明である。
【発明の効果】
【０００５】１２０ｃｃの冷凍固体状のアイスクリームを可塑化し抽出完了させるために要する時間は約２０秒と極めて短時間で作れる点。また誰もがワンタッチで作れること。あるいは衛生的に優れている点、などが上げられる。
【実施例】
【０００６】容器、及び圧力板は同サイズとし、可動圧力板の圧力が容器の平面に均等に付加されるような形態。（図１における、符号２，３の圧力板の相乗効果で可塑化を生み、トグル機構応用での符号３の可動圧力板による抽出の促進を図る形態）
【産業上の利用可能性】
【０００７】１００ボルトの交流電源を供給できれば、屋内外を問うことなしに利用することが可能であり、また装置の形態が小型であることから簡単に移動することができ、野外での利用も容易である。
【図面の簡単な説明】
【０００８】
【図１】モーター動力・平面可動式加圧解凍抽出装置の実施例側面図
【図２】圧力板初期圧縮状態側面図
【図３】圧力板中期圧縮状態側面図
【図４】圧力板最終圧縮状態側面図
【符号の説明】
【０００９】（１）  装置投入口
（２）  固定圧力板
（３）  可動圧力板
（４）  スプリング
（５）  支点ローラー
（６）  チューブ式容器
（７）  抽出口
（８）  投入センサー
（９）  駆動軸
（１０）トグル機構
（１１）モーター
（１２）制御回路
【図１】
2006246864.tif 000003
【図２】
2006246864.tif 000004
【図３】
2006246864.tif 000005
【図４】
2006246864.tif 000006
(57)【要約】【課題】    白熱灯の点滅を解消し照度を上げことができ、簡単に、安価に点滅を防止して、脳や視神経への刺激を軽減する家庭用、一般照明直流電源装置を提供する。【解決手段】これらの問題を解決するために、波形整形回路、および半導体素子による    電圧の調整、半導体抵抗とてのラッシュカーレントの防止とフィラメントの振動防止    による寿命改善などの効果をえた。【選択図】    図1
2006246582.tif 000002
【特許請求の範囲】
【請求項１】
一般照明は交流電源で灯具を駆動している。  交流電源と灯具の間に直流
電源を設け、交流を直流にするために平滑化するインダクタ、抵抗の代わりに、
半導体素子や半導体スイッチ等を組合せて、ラッシュカレント防止、電圧調整、
電球の寿命延長、照度増加の効果を得られる制御手段を特徴とする照明用直流
電源装置。
【発明の詳細な説明】
【技術分野】
【０００１】
本発明は一般照明用に使用される直流電源装置に関する。
【背景技術】
【０００２】
従来の照明装置は明るさを増す為に、電球のワット数を上げるか、電球の数を増やすことでなされていた。
【０００３】
しかし、交流電源は１秒間に５０回、６０回の点滅を繰り返しているから、目が疲れたり、頭痛がしたり、健康上問題があった。又、これらの照明装置は暗く、脳や視神経に悪影響を与える問題もあった。
【発明の開示】
【発明が解決しようとする課題】
【０００４】
本発明が解決しようとする課題は、従来のこれらの問題点を解決し、簡単に、安
価に設置でき、しかも点滅やチラツキを防止して、脳や視神経への刺激を軽減する一般照明用直流電源を提供することにある。
【課題を解決するための手段】
【０００５】
かかる課題を解決した本発明の構成は、
従来の電源に半導体素子を使用して、電圧の調整、ラッシュカーレントの防止、照度ア
ップ等の効果を有する制御手段を設けたことを特徴とする照明用直流電源装置にある。
【発明の効果】
【０００６】
この発明によれば、40Wの電球でも１．５倍程の明るさになり、省エネルギーで目に
優しい光源となり、医療用照明器具、製図用照明器具、検査用照明器具、家庭用の照明
器具、読書用照明器具として利用できる。  
【実施例１】
【０００７】
本発明の照明用電源装置は交流電源で駆動されるが、その際は交流電圧を波形整形し
半導体素子で電圧調整する平滑回路を設け、得た直流で白熱球を駆動させることで点滅
を無くして脳や視神経への刺激を無くする。以下、本考案の実施例を図面にもとずいて具体的に説明する。
【実施例２】
【０００８】
図１は実施例の照明用電源装置ブロック図、図２-1、図2-2は実施例の照明装置で
ある。
図中Aは半導体スイッチ、Bは半導体素子、Cは波形整形回路、Dは平滑回路である。
【０００９】
実施例の照明機器は図２に示すように白熱電球e、灯具dの上に直流電源部cを設け、引っ掛けプラグaより交流電源が駆動される。
交流電源が直流電源部にはいると、波形整形、半導体素子による電圧調整、平滑回
路による直流化が行われる。
【００１０】
本実施例はこのような構成にしたから、直流化による、点滅の防止、明るさの増大
電圧の調整、突入電流の防止、脳や視神経に対する悪影響を無くして一般用照明電源
として、より効果的に使用される。
【図面の簡単な説明】
【００１１】
【図１】実施例の照明用直流電源装置のプロック図である
【図２−１】実施例の照明用直流電源装置の説明図である。
【図２−２】実施例の照明用直流電源装置の説明図である。
【符号の説明】
【００１２】
A  半導体スイッチ
B  半導体素子
C  波形整形回路
D  平滑回路
a  引っ掛けコンセント  
b  コード
c  照明用直流電源装置
d  白熱灯灯具
e  白熱電球
【図１】
2006246582.tif 000003
【図２−１】
2006246582.tif 000004
【図２−２】
2006246582.tif 000005
(57)【要約】【課題】  制御機器ユニットを人の手の届く位置まで引き下ろすことにより、安全性が高く、保守性に優れた配電盤を提供する。  【解決手段】  制御機器ユニット２を筐体１の制御機器支持体３に固定した配電盤において、制御機器支持体３の両側部に接続されるように筐体１の上部から下方部に延びる固定ビーム８を配置し、固定ビーム８と制御機器支持体３を平行リンクで接続し、さらにこのリンクにスプリングを接続したリンク機構を備えるものである。【選択図】  図１
2006246665.tif 000002
【特許請求の範囲】
【請求項１】
制御機器ユニットを筐体の制御機器支持体に固定した配電盤において、
前記制御機器支持体の両側部に接続されるように前記筐体の上部から下方部に延びる固定ビームを配置し、前記固定ビームと前記制御機器支持体とを平行リンクで接続し、さらにこのリンクにスプリングを接続したリンク機構を備えたことを特徴とする配電盤。
【請求項２】
前記スプリングは、ガススプリングであることを特徴とする請求項１記載の配電盤。
【請求項３】
前記制御機器ユニットを収納後に、前記制御機器支持体を係止する係止部材を設けたことを特徴とする請求項１記載の配電盤。
【発明の詳細な説明】
【技術分野】
【０００１】
本発明は、配電盤に配置している制御機器ユニットを保守するために取出す機構に関する。
【背景技術】
【０００２】
従来、比較的大型の配電盤において、高所に配置された機器ユニットを保守する場合、脚立を用いる方法や昇降テーブルを用いる方法がある。
前者の脚立を用いる方法を、図２に示す。図２は、従来の配電盤を示す構造図で、（ａ）は正面図、（ｂ）は側面図である。図において、１は筐体、２は制御機器ユニット、３は制御機器支持体、４は充電部、５は保護カバ、６は脚立である。制御機器ユニット２は制御機器支持体３に取付けられておりその制御部下には動力回路の充電部４があり充電部４前面には保護カバ５が設けられている。このように、高い位置に配置している制御機器ユニット２を保守する場合、脚立６を用いて手の届く位置まで上がって保守を行っている。
一方、後者の昇降テーブルを用いる方法では、電子機器ユニットを、昇降テーブルに載せ下に降し、保守後、再び昇降テーブルに載せて、高所に移動し、所定の場所に固定していた（例えば、特許文献１）。
【特許文献１】特開平１０―２７０８７５号公報
【発明の開示】
【発明が解決しようとする課題】
【０００３】
ところが、従来の配電盤では、脚立に上がって作業するため、転倒の危険性があること、保守作業の効率が悪いという問題があった。
また、昇降テーブルを用いる方法では、設備にコストがかかり、取り外しにも時間がかかるなど作業性に問題がある。
そこで、本発明はこのような問題点に鑑みてなされたものであり、制御機器ユニットを人の手の届く位置まで引き下ろすことにより、安全性が高く、保守性に優れた配電盤を提供することを目的とする。
【課題を解決するための手段】
【０００４】
上記問題を解決するため、本発明は、次のように構成したものである。
請求項１に記載の発明は、制御機器ユニットを筐体の制御機器支持体に固定した配電盤において、前記制御機器支持体の両側部に接続されるように前記筐体の上部から下方部に延びる固定ビームを配置し、前記固定ビームと前記制御機器支持体とを平行リンクで接続し、さらにこのリンクにスプリングを接続したリンク機構を備えたものである。
また、請求項２に記載の発明は、前記スプリングは、ガススプリングとするものである。
また、請求項３に記載の発明は、前記制御機器ユニットを収納後に、前記制御機器支持体を係止する係止部材を設けたものである。
【発明の効果】
【０００５】
請求項１から３に記載の発明によれば、不安定な作業がなくなり、安全性が向上し、操作が簡単で保守作業が容易にできる配電盤が得られる。
【発明を実施するための最良の形態】
【０００６】
以下、本発明の実施の形態について図に基づいて説明する。
図１は、本発明の配電盤を示す構造図で、（ａ）は引出し前の初期状態の側面図、（ｂ）は機器引出しの中間状態の側面図、（ｃ）は引出後の最終状態の側面図、（ｄ）は最終状態の正面図ある。
図において、１は筐体、２は制御機器ユニット、３は制御機器支持体、４は充電部、７はガススプング、８は固定ビーム、９は第1リンク、１０は第２リンク、１１はガススプリング固定部、１２〜１７は回転軸である。
筐体１の両側に固定ビーム８が配置されており、固定ビーム８に第1リンク９および第２リンク１０が回転軸１２、回転軸１３を介して取付られており、第1リンク９および第２リンク１０は回転可能な構造となっている。制御機器支持体３は第1リンク９および第２リンク１０それぞれ回転軸１４と回転軸１５を介して取付られており、回転可能な構造となっている。
つぎに、動作について説明する。
ガススプリング７の片側は第1リンク９に回転軸１６を介して取付られており、もう片側はガススプリング固定部１１にある回転軸１７を介して取付られている。両端とも回転可能な構造となっている。制御機器支持体３が下に引き下ろされる場合、第1リンク９は回転軸１２を中心に、第２リンク１０は回転軸１３を中心に回転して、中間状態、最終状態に引き下ろされる。その際、ガススプリング７は両端の回転軸１６、回転軸１７それぞれを中心に回転しながら伸縮される。制御機器支持体３は最終状態に引き下ろされると、充電部４の前に降下され、充電部を保護することができる。
保守作業が終わった後、人の手で持上げることにより、元の位置に収納することができる。この時、係止部材をはめることにより、制御機器支持体３を固定することができ、制御機器ユニット２を安全に稼動させることができる。
ガススプリング７を使用することにより引き下ろし、引き上げ作業が容易に行える。
また、制御機器ユニット２を人の手の届く位置まで引き下ろすことにより、安全性・保守性を向上することができる。
【図面の簡単な説明】
【０００７】
【図１】本発明の配電盤を示す構造図で、（ａ）は引出し前の初期状態の側面図、（ｂ）は機器取出しの中間状態の側面図、（ｃ）は引出後の最終状態の側面図、（ｄ）は最終状態の正面図
【図２】従来の配電盤を示す構造図で、（ａ）は正面図、（ｂ）は側面図
【符号の説明】
【０００８】
１  筐体
２  制御機器ユニット
３  制御機器支持体
４  充電部
５  保護カバ
６  脚立
７  ガススプリング
８  固定ビーム
９  第1リンク
・  第２リンク
・  ガススプリング固定部
12〜17  回転軸
【図１】
2006246665.tif 000003
【図２】
2006246665.tif 000004
(57)【要約】【課題】コンセント遮断時に残留電圧を短時間に放電すること。【解決手段】コンセント４からの交流電源７は、ノイズフィルタ８とコンデンサ１とに接続され制御電圧を形成する整流素子９へと接続されている。また、感電防止のためコンセントの異極間の残留電圧を放電するため、放電抵抗２と交流電圧が遮断されたことを検知する検知回路３が接続されている。停止時の消費電力を抑えるため、放電抵抗２が高くなっており、停電検知すると接続されるスイッチ１３と抵抗素子１４を交流異極間に並列に接続することによりコンデンサ１に蓄積された電圧を短時間に低下させる。【選択図】図１
2006246666.tif 000002
【特許請求の範囲】
【請求項１】
空気調和機の電子制御装置において、交流入力電源の異極間に放電抵抗と、前記交流電源が供給されていることを検知する停電検知素子が直列で接続され、これらの素子と並列に前記抵抗素子よりも低抵抗の抵抗素子と、前記検知素子からの検知信号を受けて動作する制御部によりオン／オフされるスイッチを備えたことを特徴とする空気調和機。
【発明の詳細な説明】
【技術分野】
【０００１】
本発明は交流電源プラグからコンセントが引き抜かれた時に、１次側コンデンサの蓄積された電圧を放電させることを特徴とした空気調和機に関するものである。
【背景技術】
【０００２】
従来、この種の空気調和機は、安全目的のためにコンセントが引き抜かれた時のコンデンサ１の残留電圧の放電、停電の検知を目的として、交流異極間に放電抵抗２や停電検知装置３が接続されている（例えば、特許文献１参照）。
【０００３】
図３は、特許文献１に記載された従来の空気調和機の電子制御装置を示すものである。図３に示すように、放電抵抗１と、瞬時停電検知装置２と、コンデンサ３から構成されている。
【特許文献１】実開平４−２１１８９号公報
【発明の開示】
【発明が解決しようとする課題】
【０００４】
しかしながら、前記従来の構成では、空気調和機の停止時の消費電力の低減のため、交流異極間の放電抵抗２が高抵抗になってきており、コンセント４が引き抜かれた時、コンデンサ１に蓄積された電圧の放電時間が長くなるという課題を有していた。
【０００５】
本発明は、前記従来の課題を解決するもので、１次側入力の消費電力を大きくせず、コンセント電圧を短時間で放電する空気調和機を提供することを目的とする。
【課題を解決するための手段】
【０００６】
前記従来の課題を解決するために、本発明の空気調和機は、コンセント４からの交流入力電源が遮断した時に、交流異極間に新たな放電経路を形成しようとしたものである。
【０００７】
これによって、コンセントからの入力が遮断された時の放電時間を短くすることができる。
【発明の効果】
【０００８】
本発明の空気調和機は、交流異極間の消費電力を大きくすることなく、コンセントの遮断時に放電時間を短くすることができる。
【発明を実施するための最良の形態】
【０００９】
第１の発明は、コンセントが引き抜かれたことを検知して、放電抵抗と並列に接続された交流異極間のスイッチを動作させることにより、さらに放電経路を形成することにより、コンセントの残留電圧を急激に低下させることができる。
【００１０】
以下、本発明の実施の形態について、図面を参照しながら説明する。なお、この実施の形態によって本発明が限定されるものではない。
【００１１】
（実施の形態１）
図１は、本発明の実施の形態１における空気調和機の電子制御装置の電源部のブロック図である。図２は、交流電源１と制御部への直流電源２の動作波形を示す。
【００１２】
コンセント４は、コネクタ５により、空気調和機の電子制御装置に６に接続され、交流
電源７として入力される。交流電源７は、ノイズ除去フィルタ８とコンデンサ１が接続されており、さらに整流素子９とコンデンサ１０を通って、制御部１１の電源１２として供給される。また、交流電源の異極間には、放電抵抗２と停電検知素子３が直列に接続されており、交流電圧を常時検知して制御部１１に信号を送っている。また、前記放電抵抗２と停電検知素子３と並列にスイッチ１３と前記放電抵抗２より抵抗値の低い抵抗素子１４が交流電源の異極間に接続されており、前記停電検知素子３が交流電圧が停止したことを検知すると、制御部１１は、コンデンサ１０に蓄積された直流電圧１２により、交流電圧７よりも残留時間が長く制御部１１を動作し続け、交流電圧７の入力が停止しても、即時に停止することなく、前記スイッチ１３を動作させ、交流異極間を短時間に電圧低下させる。さらにスイッチ１３は、放電抵抗２よりも低い抵抗素子１４を接続しているため、交流異極間の残留電圧をより早く低下させることができる。
【産業上の利用可能性】
【００１３】
以上のように、本発明にかかる空気調和機は、消費電力を抑えつつ、コンセント残留電圧をなくすが可能となるので、コンセント使用機器の用途に広く適用できる。
【図面の簡単な説明】
【００１４】
【図１】本発明の実施の形態１における空気調和機の電子制御装置のブロック図
【図２】本発明の実施の形態２における空気調和機の電子制御装置の動作波形図
【図３】従来の空気調和機の電子制御装置ブロック図
【図４】従来の空気調和機の電子制御装置の動作波形図
【符号の説明】
【００１５】
１  コンデンサ
２  放電抵抗
３  停電検知素子
４  コンセント
５  コネクタ
６  電子制御装置
７  交流電源
８  ノイズフィルタ
９  整流素子
１０  コンデンサ
１１  制御部
１２  直流電圧
１３  スイッチ
１４  抵抗素子
【図１】
2006246666.tif 000003
【図２】
2006246666.tif 000004
【図３】
2006246666.tif 000005
【図４】
2006246666.tif 000006
(57)【要約】【課題】本発明は、大地震発生時の振動を感知し点灯するもので特に夜間大地震が発生し停電となった場合に部屋の中の様子を照らし避難や人命救助を促進するものである。【解決手段】太陽電池により充電された充電池を利用し、振動センサーを取り付け地震による揺れを感知すると点灯する懐中電灯である。【選択図】  図１
2006246690.tif 000002
【特許請求の範囲】
【請求項１】
発光部分とその回路、太陽電池とその回路、充電池とその回路、振動及び光センサー付きスイッチとその回路で構成され、太陽電池により充電された充電池を電源とし振動センサーで地震による揺れを感知し発光する地震感応式懐中電灯。
【発明の詳細な説明】
【技術分野】
【０００１】  本発明は、太陽電池により充電された充電池を利用し、地震による揺れを振動センサーが感知すると点灯する地震感応式懐中電灯である。
【背景技術】
【０００２】  従来の懐中電灯は、自発的に発光するものはなく、夜大地震が発生し停電となった時真っ暗な中懐中電灯が置いてある場所までたどりついてからやっとスイッチを入れ点灯し明かりを確保していた。
【問題が解決しようとする課題】
【０００３】  せっかく懐中電灯を常備していても夜大地震が発生し停電となった場合には、真っ暗で常備している場所も分からずなかなか明かりを確保できない。
【課題を解決する手段】
【０００４】  本発明は主に発光部分とその回路、太陽電池とその回路、充電池とその回路、振動及び光センサー付きスイッチとその回路で構成され電源は太陽電池により充電された充電池を利用し、振動センサーにより地震の揺れを感知し点灯するようにした懐中電灯である。真っ暗な中点灯すれば懐中電灯の場所が分かるし周辺の様子も理解でき、次の行動を起こしやすくできる。
【発明の効果】
【０００５】  夜大地震が発生し停電となっても明かりを確保できる。この明かりを利用して部屋の中の確認や避難道具を常備している場所までたどりつける。また、非難時や人命救助時にも使用できる。
【発明を実施するための最良の形態】
【０００６】  以下、本発明の実施の形態を説明する。（イ）主に発光部分とその回路（１）、太陽電池とその回路（４）、充電池とその回路（３）振動及び光センサー付きスイッチとその回路（２）で構成されている。（ロ）普段は、太陽電池とその回路（４）により発電された電気が充電池とその回路（３）に充電される。（ハ）地震の揺れを感知すると振動及び光センサー付きスイッチとその回路（２）内のスイッチが入り発光部分とその回路（３）と充電池とその回路（３）がつながり点灯する。（ニ）発光部分はできるだけ長時間明かりを確保できる様消費電力の少ないＬＥＤを使用する。（ホ）本発明を設置する場所は太陽電池を使用している事を考慮し窓側等明るい場所に設置する。
【図面の簡単な説明】
【０００８】
【図１】本発明の傾斜図と半透明傾斜図
【図２】本発明の回路ブロック図
【図３】設置図
【符号の説明】
【０００９】  １．発光部分とその回路  ２．振動及び光センサー付きスイッチとその回路  ３．充電池とその回路  ４．太陽電池とその回路  ５．地震感応式懐中電灯を固定する枠  ６．柱
【図１】
2006246690.tif 000003
【図２】
2006246690.tif 000004
【図３】
2006246690.tif 000005
(57)【要約】      （修正有）【課題】風圧による転倒を回避できる看板を提供する。【解決手段】風圧に対し掲示板自体を傾斜させる事で風圧を軽減し転倒を防ぐ構造とした。さらに風圧調整バランサ７により傾斜した掲示板を復元させる機能を持たせ、看板全体の重心を下げ転倒しにくい構造とした。【選択図】図３
2006276815.tif 000002
【特許請求の範囲】
【請求項１】
立看板本体に風圧調整バランサーを損備えた立看板
【発明の詳細な説明】
【技術の分野】
（発明の内容を簡単に表したものを記載する）
【０００１】本発明は、一般店舗の転倒防止を図った立看板に関する。
【背景技術】
【０００２】従来の看板は、風圧による転倒が最も多い。回避する方法としては、風が強い日は建物に固定したり足元に錘を載せたり室内に搬入し風対策をおこなっている。【０００３】以下図１・図２において従来の立看板を説明する。図において▲１▼は▲４▼に固定され風が吹いた場合風圧をまともに受ける。結果▲５▼アジャスターに大きな力が加わり転倒の原因となっている。転倒を、防ぐ為に方法・１錘をのる。方法・２構築物に固定。方法３室内に移動する。等の方法で風対策を行なっている。
2006276815.tif 000003
【発明の開示】
【発明が解決しようとする課題】
【０００５】以上述べたように従来の立看板は、風圧転倒に対する対処に日々苦慮している。転倒による事故も発生していることは、言うまでもない。大きな立看板については行政等に申請を行なう規準があるが小規模な立看板ついては野放しの状態である。故に小規模な立看板については、特に容易に転倒しない安全な物である事が必要だと考え考案したものである。【０００６】本発明は、従来の構成が有した問題を解決しようとする物であり、風圧を効果的に減少させたて看板の転倒を防ぐ事を、目的とする物である。
【発明が解決しようとする課題】
【０００７】そして、本発明は、上記目的を達成するために掲示板本体に風圧調整バランサーを取り付け掲示板本体を容易に回転する構造とした物である。
【発明の効果】
【０００８】上述した様に本発明の風圧調整バランサー付立看板は、風圧を逃がす事により転倒しない立看板を提供できる。
【発明の実施する為の最良の形態】
【０００９】以下、本発明の実施の形態を図５〜図１１に基づいて説明する。
【００１０】図においては、アジャスター１、の上に支柱固定材２を取付、それを繋材３で固定し、支柱材４を固定すし、支柱の上部に回転軸ボルト５をセットし掲示板枠６を固定しその下部に風圧調整バランサー７を支柱繋材８に固定しその上に掲示板下枠材９を固定、掲示板上枠材１０を掲示板枠６の最上部に固定し枠全体を補強しその間に掲示板１１を挿入し立看板を構成します。
【００１１】以下、上記構成の作動を説明します。掲示板１１に風圧が作用すると掲示板１１は回転軸ボルト５を中心に回転を起こし風圧を減少させアジャスター１に加わる力を軽減します。
【００１２】また、掲示板１１が風圧により傾斜する、風圧調整バランサー７は、計算された重量を持たせる事で、掲示板１１を正常な位置に戻す働きをする。
【００１３】また、アジャスター１は、ネジ上の形態をし回転させる事で立看板本体の水平を確保する。
【図面の簡単な説明】
【００１４】
【図１】  本体を上から見た図面
【図２】  本体を下から見た図面
【図３】  本体を両側面から見た図面で掲示板にの回転した様子を、示した図面
【図４】  本体を両正面から見た図面
【符号の説明】
【００１５】  １−アジャスター
２−支柱固定材
３−繋材
４−支柱
５−回転軸ボルト
６−掲示板枠
７−風圧調整バランサー
８−支柱繋材
９−掲示板下枠材
１０−掲示板上枠材
１１−掲示板
【図１】
2006276815.tif 000004
【図２】
2006276815.tif 000005
【図３】
2006276815.tif 000006
【図２】
2006276815.tif 000007
【図４】
2006276815.tif 000008
【図２】
2006276815.tif 000009
【手続補正書】
【提出日】平成17年7月7日(2005.7.7)
【手続補正２】
【補正対象書類名】図面
【補正対象項目名】全図
【補正方法】変更
【補正の内容】
【図１】
2006276815.tif 000010
【図２】
2006276815.tif 000011
【図３】
2006276815.tif 000012
【図４】
2006276815.tif 000013